【手続補正書】
【提出日】平成26年6月5日(2014.6.5)
【手続補正１】
【補正対象書類名】特許請求の範囲
【補正対象項目名】全文
【補正方法】変更
【補正の内容】
【特許請求の範囲】
【請求項１】
ＩＣと、
前記ＩＣを少なくとも取り付け可能なＩＣソケットと、
前記ＩＣソケットが少なくとも設けられた制御基板と、
を備えた遊技台であって、
前記遊技台は、ぱちんこ機またはスロットマシンであり、
前記ＩＣのパッケージは、ＤＩＰパッケージであり、
前記ＩＣのパッケージは、複数の端子が少なくとも設けられたパッケージであり、
前記ＩＣソケットは、前記複数の端子が挿入可能な複数のコネクト部が少なくとも設けられたソケットであり、
前記ＩＣソケットは、前記複数のコネクト部に対応して複数のソケット端子が少なくとも設けられたソケットであり、
前記複数のソケット端子は、前記制御基板に固定される端子であり、
前記複数のコネクト部は、直線状に配置され、
前記複数の端子のうちの少なくとも一つは、第一の端子であり、
前記複数の端子のうちの少なくとも一つは、第二の端子であり、
前記複数のコネクト部のうちの少なくとも一つは、第一のコネクト部であり、
前記複数のコネクト部のうちの少なくとも一つは、第二のコネクト部であり、
前記複数のソケット端子のうちの少なくとも一つは、第一のソケット端子であり、
前記複数のソケット端子のうちの少なくとも一つは、第二のソケット端子であり、
前記第一のコネクト部は、前記第一の端子が挿入されるコネクト部であり、
前記第二のコネクト部は、前記第二の端子が挿入されるコネクト部であり、
前記第一の端子は、前記第二の端子と隣り合う位置に少なくとも設けられた端子であり、
前記第一のソケット端子は、前記第一のコネクト部に対応して設けられた端子であり、
前記第二のソケット端子は、前記第二のコネクト部に対応して設けられた端子であり、
前記第一のソケット端子は、第一の向きに少なくとも屈曲する端子であり、
前記第二のソケット端子は、第二の向きに少なくとも屈曲する端子であり、
前記第一の向きとは、前記ＩＣソケットの短手方向内向きのことであり、
前記第二の向きとは、前記ＩＣソケットの短手方向外向きのことであり、
前記ＩＣは、マイクロプロセッサであり、
前記マイクロプロセッサは、ＣＰＵを少なくとも内蔵しており、
前記マイクロプロセッサは、ＲＯＭを少なくとも内蔵しており、
前記ＲＯＭは、ユーザプログラムが少なくとも記憶されており、
前記ユーザプログラムは、前記ＣＰＵによって実行されるように構成されており、
前記マイクロプロセッサは、セキュリティチェックを少なくとも実行可能なプロセッサであり、
前記セキュリティチェックは、前記ユーザプログラムに異常がないかをチェックする機能を少なくとも有するものである、
ことを特徴とする遊技台。
【請求項２】
請求項１に記載の遊技台であって、
前記第一のソケット端子は、前記ＩＣソケット内で屈曲する端子であり、
前記第二のソケット端子は、前記ＩＣソケット内で屈曲する端子である、
ことを特徴とする遊技台。
【請求項３】
請求項１または請求項２に記載の遊技台であって、
前記複数のソケット端子の全ては、前記制御基板に取り付ける方向に直線形状をしている端子であり、
前記複数の端子の全ては、前記ＩＣソケットに挿入する方向に直線形状をしている端子である、
ことを特徴とする遊技台。
【請求項４】
請求項１乃至請求項３のいずれか一項に記載の遊技台であって、
前記複数のソケット端子は、前記ＩＣソケットを裏面視した場合に、千鳥状に配置された端子である、
ことを特徴とする遊技台。
【請求項５】
請求項１乃至請求項４のいずれか一項に記載の遊技台であって、
前記ＩＣのパッケージは、複数の側部を有するパッケージであり、
前記複数の側部の少なくとも一つは第二の側部であり、
前記第二の側部は、複数の端子が少なくとも設けられた側部であり、
前記ＩＣソケットは、前記第二の側部の複数の端子が挿入可能な複数のコネクト部が少なくとも設けられたソケットであり、
前記ＩＣソケットは、前記第二の側部の複数のコネクト部に対応して複数のソケット端子が少なくとも設けられたソケットである、
ことを特徴とする遊技台。
【請求項６】
請求項１乃至請求項５のいずれか一項に記載の遊技台であって、
主制御手段と、
払出制御手段と、を備え、
前記主制御手段は、前記払出制御手段に対して少なくともコマンド信号を少なくとも送信可能であり、
前記マイクロプロセッサは、前記主制御手段および前記払出制御手段のうちの少なくとも一方に設けられている、
ことを特徴とする遊技台。
【請求項７】
請求項６に記載の遊技台であって、
前記払出制御手段は、前記主制御手段に対して少なくともコマンド信号を少なくとも送信可能である、
ことを特徴とする遊技台。
【手続補正２】
【補正対象書類名】明細書
【補正対象項目名】０００６
【補正方法】変更
【補正の内容】
【０００６】
本発明に係る遊技台は、ＩＣと、前記ＩＣを少なくとも取り付け可能なＩＣソケットと、前記ＩＣソケットが少なくとも設けられた制御基板と、を備えた遊技台であって、前記遊技台は、ぱちんこ機またはスロットマシンであり、前記ＩＣのパッケージは、ＤＩＰパッケージであり、前記ＩＣのパッケージは、複数の端子が少なくとも設けられたパッケージであり、前記ＩＣソケットは、前記複数の端子が挿入可能な複数のコネクト部が少なくとも設けられたソケットであり、前記ＩＣソケットは、前記複数のコネクト部に対応して複数のソケット端子が少なくとも設けられたソケットであり、前記複数のソケット端子は、前記制御基板に固定される端子であり、前記複数のコネクト部は、直線状に配置され、前記複数の端子のうちの少なくとも一つは、第一の端子であり、前記複数の端子のうちの少なくとも一つは、第二の端子であり、前記複数のコネクト部のうちの少なくとも一つは、第一のコネクト部であり、前記複数のコネクト部のうちの少なくとも一つは、第二のコネクト部であり、前記複数のソケット端子のうちの少なくとも一つは、第一のソケット端子であり、前記複数のソケット端子のうちの少なくとも一つは、第二のソケット端子であり、前記第一のコネクト部は、前記第一の端子が挿入されるコネクト部であり、前記第二のコネクト部は、前記第二の端子が挿入されるコネクト部であり、前記第一の端子は、前記第二の端子と隣り合う位置に少なくとも設けられた端子であり、前記第一のソケット端子は、前記第一のコネクト部に対応して設けられた端子であり、前記第二のソケット端子は、前記第二のコネクト部に対応して設けられた端子であり、前記第一のソケット端子は、第一の向きに少なくとも屈曲する端子であり、前記第二のソケット端子は、第二の向きに少なくとも屈曲する端子であり、前記第一の向きとは、前記ＩＣソケットの短手方向内向きのことであり、前記第二の向きとは、前記ＩＣソケットの短手方向外向きのことであり、前記ＩＣは、マイクロプロセッサであり、前記マイクロプロセッサは、ＣＰＵを少なくとも内蔵しており、前記マイクロプロセッサは、ＲＯＭを少なくとも内蔵しており、前記ＲＯＭは、ユーザプログラムが少なくとも記憶されており、前記ユーザプログラムは、前記ＣＰＵによって実行されるように構成されており、前記マイクロプロセッサは、セキュリティチェックを少なくとも実行可能なプロセッサであり、前記セキュリティチェックは、前記ユーザプログラムに異常がないかをチェックする機能を少なくとも有するものである、ことを特徴とする遊技台である。
【手続補正３】
【補正対象書類名】明細書
【補正対象項目名】３４７０
【補正方法】変更
【補正の内容】
【３４７０】
以上説明したように、本発明にかかる遊技台（例えば、ぱちんこ機１００）は、ＩＣと、前記ＩＣを少なくとも取り付け可能なＩＣソケット（例えば、ＩＣソケット５８７０）と、前記ＩＣソケットが少なくとも設けられた制御基板と、を備えた遊技台であって、前記遊技台は、ぱちんこ機またはスロットマシンであり、前記ＩＣのパッケージ（例えば、パッケージ５７４０）は、ＤＩＰパッケージであり、前記ＩＣのパッケージは、複数の端子が少なくとも設けられたパッケージであり、前記ＩＣソケットは、前記複数の端子が挿入可能な複数のコネクト部（例えば、コネクト部５８７２ｂ）が少なくとも設けられたソケットであり、前記ＩＣソケットは、前記複数のコネクト部に対応して複数のソケット端子（例えば、ソケット端子５８７４）が少なくとも設けられたソケットであり、前記複数のソケット端子は、前記制御基板に固定される端子であり、前記複数のコネクト部は、直線状に配置され、前記複数の端子のうちの少なくとも一つは、第一の端子であり、前記複数の端子のうちの少なくとも一つは、第二の端子であり、前記複数のコネクト部のうちの少なくとも一つは、第一のコネクト部（例えば、図２７６（ａ）のコネクト部５８７２ｂ）であり、前記複数のコネクト部のうちの少なくとも一つは、第二のコネクト部（例えば、図２７６（ｂ）のコネクト部５８７２ｂ）であり、前記複数のソケット端子のうちの少なくとも一つは、第一のソケット端子（例えば、図２７６（ａ）のソケット端子５８７４）であり、前記複数のソケット端子のうちの少なくとも一つは、第二のソケット端子（例えば、図２７６（ａ）のソケット端子５８７４）であり、前記第一のコネクト部は、前記第一の端子が挿入されるコネクト部であり、前記第二のコネクト部は、前記第二の端子が挿入されるコネクト部であり、前記第一の端子は、前記第二の端子と隣り合う位置に少なくとも設けられた端子であり、前記第一のソケット端子は、前記第一のコネクト部に対応して設けられた端子であり、前記第二のソケット端子は、前記第二のコネクト部に対応して設けられた端子であり、前記第一のソケット端子（例えば、図２７６（ａ）のソケット端子５８７４）は、第一の向きに少なくとも屈曲する端子であり、前記第二のソケット端子（例えば、図２７６（ａ）のソケット端子５８７４）は、第二の向きに少なくとも屈曲する端子であり、前記第一の向きとは、前記ＩＣソケットの短手方向内向きのことであり、前記第二の向きとは、前記ＩＣソケットの短手方向外向きのことであり、前記ＩＣは、マイクロプロセッサ（例えば、マイクロプロセッサ３０００）であり、前記マイクロプロセッサは、ＣＰＵ（例えば、ＣＰＵ３０４）を少なくとも内蔵しており、前記マイクロプロセッサは、ＲＯＭ（例えば、ＲＯＭ（内蔵ＲＯＭ）３０６）を少なくとも内蔵しており、前記ＲＯＭは、ユーザプログラムが少なくとも記憶されており、前記ユーザプログラムは、前記ＣＰＵによって実行されるように構成されており、前記マイクロプロセッサは、セキュリティチェックを少なくとも実行可能なプロセッサであり、前記セキュリティチェックは、前記ユーザプログラムに異常がないかをチェックする機能を少なくとも有するものである、ことを特徴とする遊技台である。
このような構成によれば、ＩＣパッケージにおいて隣接する第一の端子と第二の端子の間隔を、第一のソケット端子と第二のソケット端子を介して実質的に広げた上で、制御基板上に実装することができる。このため、第一の端子および第二の端子の一方を通過する信号が、他方を通過する信号に悪影響を及ぼすような不具合を未然に防ぐことができ、安定した遊技制御を行うことができる場合がある。また、セキュリティチェック機能を有するＩＣ（マイクロプロセッサ）を有しているため、内部的な不正対策が可能となる場合がある。
また、前記第一のソケット端子は、前記ＩＣソケット内で屈曲する端子であり、前記第二のソケット端子は、前記ＩＣソケット内で屈曲する端子である、ものであってもよい。
また、前記複数のソケット端子の全ては、前記制御基板に取り付ける方向に直線形状をしている端子であり、前記複数の端子の全ては、前記ＩＣソケットに挿入する方向に直線形状をしている端子である、ものであってもよい。
また、前記複数のソケット端子（例えば、ソケット端子５８７４）は、前記ＩＣソケット（例えば、ＩＣソケット５８７０）を裏面視した場合に、千鳥状に配置された端子であってもよい。
また、前記ＩＣのパッケージは、複数の側部を有するパッケージであり、前記複数の側部の少なくとも一つは第二の側部（例えば、図２７４（ｂ）のパッケージ５７４０の長手方向に沿った右側の側部）であり、前記第二の側部は、複数の端子が少なくとも設けられた側部であり、前記ＩＣソケット（例えば、ソケット５８６０）は、前記第二の側部の複数の端子が挿入可能な複数のコネクト部が少なくとも設けられたソケットであり、前記ＩＣソケットは、前記第二の側部の複数のコネクト部に対応して複数のソケット端子が少なくとも設けられたソケットであってもよい。
また、主制御手段（例えば、主制御部３００）と、払出制御手段（例えば、払出制御部６００）と、を備え、前記主制御手段は、前記払出制御手段に対して少なくともコマンド信号を少なくとも送信可能であり、前記マイクロプロセッサは、前記主制御手段および前記払出制御手段のうちの少なくとも一方に設けられている、ものであってもよい。
また、前記払出制御手段は、前記主制御手段に対して少なくともコマンド信号を少なくとも送信可能であってもよい。
上記実施形態に基づく本発明は以下のように記述することもできる。
＜付記Ａ＞
＜付記Ａ１＞
ＣＰＵと、
【手続補正４】
【補正対象書類名】明細書
【補正対象項目名】０００２
【補正方法】削除
【補正の内容】
【手続補正５】
【補正対象書類名】明細書
【補正対象項目名】０００３
【補正方法】削除
【補正の内容】
【手続補正６】
【補正対象書類名】明細書
【補正対象項目名】０００４
【補正方法】削除
【補正の内容】
【手続補正７】
【補正対象書類名】明細書
【補正対象項目名】０００５
【補正方法】削除
【補正の内容】
【手続補正８】
【補正対象書類名】明細書
【補正対象項目名】０００７
【補正方法】削除
【補正の内容】
【手続補正９】
【補正対象書類名】明細書
【補正対象項目名】０００８
【補正方法】削除
【補正の内容】